(57)【要約】      （修正有）【課題】被介護者の身体をなるべく動かすことなく臀部の下に容易に挿入することができ、介護者の労力を軽減して被介護者を楽に移乗させることができ、しかも、移乗後には臀部の下から容易に引き抜くことができる移乗用補助具を提供する。【解決手段】一端部に弧状部を形成したナイロン製の芯板と、一端部に弧状部を形成した２枚のナイロン製の布地と、から構成し、前記２枚の布地を縫い合わせて、前記芯板を挿入する袋状部を形成すると共に、他端部に腕を挿入できる筒状部を形成した。【選択図】図４
0003106336.tif 000002
【実用新案登録請求の範囲】
【請求項１】
本考案は被介護人を移乗する際に用いる板状の介護器具である。ごく薄く強度の強い曲げることも出来るナイロンの板を芯にし、滑り易い丈夫なナイロン製の布で覆った板状のものである。臀部の下に挿入し易く片端を丸くし、移乗後器具を抜き易くするために一方に腕の入る握り手を作る。被介護人の臀部下に一部挿入してスライド移乗させ、移乗後握り手に腕を入れて腕の力を使えば器具は簡単に抜き取れる。これにより介護人の労力の大きな軽減につながる。
【考案の詳細な説明】
【技術分野】
【０００１】図１の（２）と（３）を加えた寸方（縦８０センチ横２２センチ）の滑りやすいナイロン製の布地を２枚中表に重ね周囲（４）を縫う。表に返し袋状にする。その中に、厚さ１ミリの強度の強い曲げることも出来るナイロン板（１）を丸みの付いた方から入れ（５）の部分にミシンをかけて中の板が出てこないように閉じる。（６）の線を縫い合わせ、（３）の部分の両側を三つ折にし押えミシンを掛け、もち手（３）を作る。
以上のごとく構成された、薄くて強く滑りやすい板状の器具で介護人の労力を軽減し、らくらく被介護人をスライド移乗させられ、移乗後器具を抜くのも容易である。
【背景技術】
【０００２】従来より移乗用器具は多々ありそれ等を使ってみたところ素材が厚く臀部下に挿入するのが非常に困難であった。かつ移乗後体重の重い被介護人から器具を抜くのに大変苦労させられた。
【考案の開示】
【考案が解決しようとする課題】
【０００３】解決しようとする課題は、被介護人の身体をなるべく動かすこと無く臀部の下に器具を挿入し易くすること。介護人の労力を軽減し被介護人の移乗が楽に出来ること。被介護人の移乗後簡単に器具を抜くことが出来る形状であること。
【課題を解決するための手段】
【０００４】器具の片側に丸みを付け、芯板（１）に薄くて強度の強いナイロン製品を使い器具を被介護人の臀部の下に挿入し易くする。芯板を覆う布、握り手の布（２）（３）は、介護人が少ない力で被介護人をスライドさせられるために、滑りの良いナイロン製の布地を使う。また、移乗後器具を抜き易くするために腕の入る握り手（３）を作る。
【考案の効果】
【０００５】本考案の効果として被介護人を座位のまま少し傾ければ臀部の下に器具を挿入し易くなる。介護人が腰を痛めず且つ労力の軽減をもって被介護人の移乗が楽に出来、また被介護人の移乗後、器具を抜くために作った（３）の握り手は腕が入るため腕の力で簡単に抜けるようになる。移乗を楽にすることで移乗の回数も増やせ被介護人の寝たきり防止にもなりさらに被介護人も快い生活が送れる。
【考案を実施するための最良の形態】
【０００６】本考案の器具は、芯板には、片側に丸みを持たせた縦６０センチ、横２０センチ、厚さ１ミリの腰のあるナイロン板１枚を使う。この板は薄くとも曲げて折れること無く強度が大である。芯板を覆う上布は、縦８０センチ、横２２センチのしっかりとしたナイロン製布地２枚。この布は摩擦が少なくよく滑る。この２つの性質を合わせて使うことでよい形態がとれる。またこれ等の材質、大きさは介護人にとって扱い易く最適である。
【実施例１】
【０００７】本考案の請求項１を、神経難病で筋肉の働きのなくなった被介護人に対する実施例について説明する。
車椅子を横向きにし出来るだけベットに平行に近かずける。被介護人をベットに腰掛けさせ身体を少し傾け臀部の下に丸みの付いた方を一部挿入する。車椅子の肘掛を予め上げて置き車椅子に器具を橋渡す。被介護人を抱えるように両手で腰を持ち弧を描くようにスライドさせ車椅子に移乗させる。車椅子に移したら（３）の部分に腕を通し引っ張り上げ器具を抜き取る。この方法で更に車椅子からトイレ、トイレから車椅子、車椅子からベットにと１日８回の移乗を１人で実施出来た。
【産業上の利用可能性】
【０００８】この考案は、形や大きさが適当でとても扱い易くまた手軽に作れる。なお且つ材料も一般的なもので安価であり、調達し易い。自力で立つことの出来ない被介護人をも介護人が少しの労力で楽に移乗させることが出来る。被介護人も行動空間が広がり寝たきり防止にも効果が大である。製品化され、普及されることは容易に出来ることと思われる。
【図面の簡単な説明】
【０００９】
【図１】本考案の請求項芯板の平面図
【図２】本考案の請求項１の平面図
【図３】本考案の請求項１の作業過程図
【図３】本考案の請求項１の握り手を分かり易く見せた図
【符号の説明】
【００１０】    １：  芯板
２：  上布
３：  握り手布
４：  重ね縫い印し
５：  境目縫い印し
６：  握り手縫い合わせ印し
【図１】
0003106336.tif 000003
【図２】
0003106336.tif 000004
【手続補正書】
【提出日】平成16年8月6日(2004.8.6)
【手続補正１】
【補正対象書類名】実用新案登録請求の範囲
【補正対象項目名】全文
【補正方法】変更
【補正の内容】
【実用新案登録請求の範囲】
【請求項１】
一端部に弧状部を形成した強度が高く湾曲できる材料からなる薄肉の芯板と、一端部に弧状部を形成した２枚の滑りの良い材料からなる布地と、から構成し、前記２枚の布地を縫い合わせて、前記芯板を挿入する袋状部を形成すると共に、他端部に腕を挿入できる筒状部を形成したことを特徴とする移乗用補助具。
【請求項２】
前記芯板はナイロン製の板材であり、前記布地はナイロン製の布地であることを特徴とする請求項１に記載の移乗用補助具。
【手続補正２】
【補正対象書類名】明細書
【補正対象項目名】全文
【補正方法】変更
【補正の内容】
【考案の詳細な説明】
【技術分野】
【０００１】
本考案は、被介護者をベッド等から車椅子等へ移乗させる際に用いる移乗用補助具に関するものである。
【背景技術】
【０００２】
従来、被介護者をベッド等から車椅子等へ移乗させる際に用いる移乗用補助具として、移乗時に被介護者の臀部の下に挿入し、移乗後に被介護者の臀部の下から引き抜くものが種々存在する。
【考案の開示】
【考案が解決しようとする課題】
【０００３】
しかし、従来の移乗用補助具にあっては、部材の肉厚が厚いために、移乗時に被介護者の臀部の下に移乗用補助具を挿入するのが非常に困難であり、又、体重の重い被介護者の場合、移乗後に臀部の下から移乗用補助具を引き抜くのには大変な苦労があった。
【０００４】
本考案は、上記問題点を解決するために為されたものであって、被介護者の身体をなるべく動かすことなく臀部の下に容易に挿入することができ、介護者の労力を軽減して被介護者を楽に移乗させることができ、しかも、移乗後には臀部の下から容易に引き抜くことができる移乗用補助具を提供することを目的とする。
【課題を解決するための手段】
【０００５】
上記目的を達成するために、本考案の移乗用補助具は、一端部に弧状部を形成したナイロン製の芯板と、一端部に弧状部を形成した２枚のナイロン製の布地と、から構成し、前記２枚の布地を縫い合わせて、前記芯板を挿入する袋状部を形成すると共に、他端部に腕を挿入できる筒状部を形成したことを特徴とする。
【考案を実施するための最良の形態】
【０００６】
以下、本考案の移乗用補助具の好適な実施形態について、図面を参照して詳細に説明する。
【０００７】
本考案の移乗用補助具１は、芯板２と、これを挿入する上下２枚の布地３，３と、から構成される。
【０００８】
芯板２は、図１に示すように、ナイロン製の板材であり、その寸法は長さ６０ｃｍ、幅２０ｃｍ、厚さ１ｍｍであって、薄肉ではあるが強度が強く、湾曲させても容易に折れることがない。又、芯板２の一端部には円弧状を呈する弧状部２１を形成してある。
【０００９】
布地３，３は、図２に示すように、滑りの良いナイロン製の布地であって、その寸法は長さ８０ｃｍ、幅２２ｃｍである。又、布地３の一端部にも円弧状を呈する弧状部３１を形成してある。
さらに、布地３，３には、図２に示すように、重ね縫い印線４１、境目縫い印線４２及び端部縫い印線４３を印してある。
【００１０】
先ず、上下２枚の布地３，３を重ね合わせ、図２に示すように、芯板２を挿入する部分の周囲に印した重ね縫い印線４１において縫い合わせる。
【００１１】
次に、表裏を返して袋状部５１を形成し、図３に示すように、袋状部５１に芯板２を弧状部２１を先にして挿入する。そして、挿入した芯板２のやや右側に印した境目縫い印線４２において縫い合わせ、芯板２が袋状部５１から脱出しないように閉じる。
【００１２】
次に、上下２枚の布地３，３の端部縫い印線４３，４３において縫い合わせ、筒状部５２を形成する。そして、その両側を三つ折りにして縫い合わせ、図４に示すように、完全に筒状部５２を形成して、移乗用補助具１を構成する。
【００１３】
本考案の移乗用補助具１は、芯板２として薄肉であるが強度が強く、湾曲させても容易に折れないナイロン製の板材を使用すると共に、一端部に円弧状を呈する弧状部２１を形成したから、被介護者の臀部の下に容易に挿入することができる。
【００１４】
又、布地３，３として滑りの良いナイロン製の布地を使用したから、介護者は少ない力で被介護者の臀部を移乗用補助具１上でスライドさせることができる。
【００１５】
さらに、他端部に筒状部５２を形成して、筒状部５２を拡開して介護者の腕を挿入することにより、腕力を利用することができるようにしたから、移乗後に被介護者の臀部の下から移乗用補助具１を容易に引き抜くことができる。
【実施例１】
【００１６】
本考案の移乗用補助具１を、神経性難病により筋肉が働かなくなった被介護者について適用してみた。
【００１７】
先ず、車椅子を横向きにすると共に、できるだけベッドに平行に近づけた。次に、被介護者をベッドに腰掛けさせ、身体を少し傾けて、臀部の下に移乗用補助具１の弧状部３１側の一部を挿入した。
【００１８】
車椅子の肘掛を予め上げておき、車椅子に移乗用補助具１の他端部を橋渡した後、被介護者を抱えるようにして両手でその腰部を持ち、弧を描くようにして移乗用補助具１上をスライドさせ、車椅子に移乗させた。
【００１９】
被介護者を車椅子に移乗させた後、移乗用補助具１の筒状部５２を拡開して介護者の腕を挿入し、腕力によって引っ張り上げて、被介護者の臀部の下から移乗用補助具１を引き抜いた。
【００２０】
同様の方法によって、さらに、車椅子からトイレ、トイレから車椅子、車椅子からベッドへと、１日に８回の移乗を１人の介護者で実施することができた。
【００２１】
本考案の移乗用補助具１によれば、被介護者を座位のまま少し傾けさえすれば、臀部の下に容易に挿入することができる。又、被介護者を移乗した後、筒状部５２を拡開して腕を挿入すれば、腕力によって簡単に移乗用補助具１を引き抜くことができる。
よって、被介護者を移乗する際に、介護者が腰を痛めることもなく、かつ、労力が軽減されて、楽に移乗させることができる。そのため、移乗の回数を増やすこともでき、被介護者の寝たきり状態を防止できて、被介護者も快適な生活を送ることができる。
【００２２】
さらに、本考案の移乗用補助具１は、形状、寸法が適当で、非常に扱い易く、又、手軽に製作することができる。尚且つ、構成部材の材料も一般的なものであるから、安価であり、調達し易い。
【図面の簡単な説明】
【００２３】
【図１】本考案の移乗用補助具を構成する芯板の平面図である。
【図２】本考案の移乗用補助具を構成する布地の平面図である。
【図３】本考案の移乗用補助具の製作工程を示す説明図である。
【図４】本考案の移乗用補助具の完成状態を示す説明図である。
【符号の説明】
【００２４】
１  移乗用補助具
２  芯板
２１  弧状部
３  布地
３１  弧状部
５１  袋状部
５２  筒状部
【手続補正３】
【補正対象書類名】図面
【補正対象項目名】全図
【補正方法】変更
【補正の内容】
【図１】
0003106336.tif 000005
【図２】
0003106336.tif 000006
【図３】
0003106336.tif 000007
【図４】
0003106336.tif 000008